(57)【要約】【課題】各個人の温冷感申告に基づく空調制御において、その空調制御結果に多くの人が納得できる空調管理システムを提供する。【解決手段】居住区画毎に設置された空調ユニット２を個別制御することで居住空間の空調管理を行なう空調管理システム１００が、入力に基づいて個人的温冷感を表す個人的温冷感データを含む空調個人情報を生成する個人端末１と、空調個人情報を受信する入力部３ａと、空調個人情報に基づいて居住区画毎の個人的温冷感データの統計的評価を行なう評価部４ａと、統計的評価結果を参照して各空調ユニット１に対する制御指令を生成する空調制御管理部４ｂと、統計的評価結果を可視化するためのデータを出力するデータ出力部４ｃと、データを可視化した可視データを生成して個人端末からの要求により可視化データを送信するデータ可視化部３ｂとを備える。【選択図】図２
2014070865.tif 000002
【特許請求の範囲】
【請求項１】
居住空間を構成する複数の居住区画毎に設置された空調ユニットを個別制御することで前記居住空間の空調管理を行なう空調管理システムであって、
前記居住区画に存在している個人の入力に基づいて個人的温冷感を表す個人的温冷感データを含む空調個人情報を生成する個人端末と、
前記個人端末から送られてきた前記空調個人情報を受信する入力部と、
各個人端末からの前記空調個人情報に基づいて居住区画毎の前記個人的温冷感データの統計的評価を行なう評価部と、
前記評価部による統計的評価結果を参照して前記各空調ユニットに対する制御指令を生成する空調制御管理部と、
前記評価部による統計的評価結果を可視化するためのデータを出力するデータ出力部と、
前記データを可視化した可視データを生成して前記個人端末からの要求により可視化データを送信するデータ可視化部と、
を備えた空調管理システム。
【請求項２】
前記空調個人情報には当該個人端末の位置を導出できる位置データが含まれており、前記評価部では前記個人的温冷感の前記居住区画における分布評価も行われる請求項１に記載の空調管理システム。
【請求項３】
前記空調個人情報には当該個人の性別や年令あるいはその両方を導出できる個人識別データが含まれており、前記統計的評価において性別または年令別あるいはその両方の評価が行われる請求項１また２に記載の空調管理システム。
【請求項４】
前記個人的温冷感データには複数段階に区分けされた温冷感から選択された温冷感が含まれており、統計的評価として前記居住区画における温冷感比率が算出される請求項１から３のいずれか一項に記載の空調管理システム。
【請求項５】
前記可視化データとしての空調管理情報には前記居住区画毎の室内温度と前記制御指令とを表すメッセージまたは図形が含まれている請求項１から４のいずれか一項に記載の空調管理システム。
【請求項６】
前記個人的温冷感データを経時的に記録する温冷感記録部と、前記統計的評価結果を経時的に記録する評価結果記録部と、前記制御指令を経時的に記録する制御指令記録部とが備えられている請求項１から５のいずれか一項に記載の空調管理システム。
【発明の詳細な説明】
【技術分野】
【０００１】
本発明は、居住空間を構成する複数の居住区画毎に設置された空調ユニットを個別制御することで前記居住空間の空調管理を行なう空調管理システムに関する。
【背景技術】
【０００２】
居住空間を複数の単位空間に仮想分割して単位空間毎に空調制御や照明制御を行うことで、単位空間毎の空調負荷に応じた適切な空調装置の制御を行う技術は以前から知られているが、そのような空調管理では、居室空間に存在する人間の快適性は考慮されていない。この問題を解決する設備(空調)制御システムも提案されている（例えば、特許文献１参照）。この設備制御システムは、居住空間を構成する複数の単位空間それぞれに対して異なる運転設定が可能な設備機器を制御する。そのために、発信器と、前記発信器が居住空間内に存在している場合に発信器からの信号を受信可能な受信器と、発信器を携帯している居住者の運転設定に関する嗜好を示す情報である嗜好情報と、この居住者が基づいて導出する情報導出手段と、嗜好情報および位置情報に基づいて、設備機器を制御する設備制御手段とが備えられている。ここでの、嗜好情報とは、居住者が好む空調設定温度や、設定湿度、風向、風量、空気清浄レベル、二酸化炭素濃度などである。設備制御手段は、所定の単位空間内に存在している人の総数を考慮して、予め定められた運転設定の範囲内から所定の単位空間内に存在している人の運転設定に関する嗜好に近い運転設定を選択する機能を有する。これにより、単位空間ごとに居住者の嗜好に応じて設備機器の制御を行うことができるので居室空間に存在する人の快適性を高めることができる。
しかしながら、このような設備制御システムであっても、居住者のリアルタイムの嗜好情報を利用しているわけではないので、個人のその時々の温冷感を満足させることは困難である。
【０００３】
空調装置の個々の利用者のその時々の温冷感を満足させるために、利用者の実際の感覚により近い環境評価を行い、省エネルギー効果を確保可能な空調制御が提案されている（例えば、特許文献２参照）。この空調制御では、各個人の温熱環境に対する申告（空調申告）、つまり「暑い」「寒い」といった感覚の入力データに基づいて利用者の温冷感や快適さを評価（環境評価）し、その評価結果に基づいて、空調装置が制御される。そのような空調制御を実現する空調システムは、インターネットサーバシステムを採用し、建物の利用者が空調申告を入力する空調申告入力手段と、室温などの環境状態を数値として計測する環境計測手段と、建物内の設備状態を取得する設備状態取得手段とを備えている。さらに、空調制御部は、入力された空調申告と環境計測値から空調申告を分析して環境評価モデルを構築し、その環境評価モデルと設備状態とから空調機の制御内容を決定する制御内容立案手段と、空調機へ制御指令を送信し制御内容を実行に移す空調機制御実施手段と、制御内容立案手段による空調制御内容や環境評価値、環境計測手段による環境計測値や設備状態などの空調運用状態を表示する運用状態表示手段とを備えている。
しかしながら、このような大掛かりなシステムであっても、個々の利用者は、「暑い」「寒い」といった感覚を空調（温冷感）申告で申告するだけであるので、その申告結果としての空調機の運転結果（環境状態）について、満足できる人もいれば、満足できない人もいる。例えば、ある個人が「暑い」と申告しているにもかかわらず、空調機の運転状態が無変更だったり、逆に空調機の目標温度が上げられたりした場合、その個人はこのシステム自体を信用しなくなってしまう。
【０００４】
個人毎に申告された温冷感申告に忠実な環境状態をつくり出すには、個人毎に専用のパーソナル空調手段を用意することが必要となる（例えば、特許文献３参照）。このような空調システムは、設備的かつコスト的な負担が過大なものとなる。
【先行技術文献】
【特許文献】
【０００５】
【特許文献１】特開２００７−１０７８７１号公報（図１）
【特許文献２】特開２００７−２５５８３５号公報（図１、図７）
【特許文献３】特開２００９−０２４９０６号公報（図３）
【発明の概要】
【発明が解決しようとする課題】
【０００６】
上記実情に鑑み、各個人の温冷感申告に基づく空調制御を実施しながらも、設備的かつコスト的な負担のかかるパーソナル空調手段のような設備を採用することなしに、多くの人を納得させることができる空調管理システムが要望されている。
【課題を解決するための手段】
【０００７】
居住空間を構成する複数の居住区画毎に設置された空調ユニットを個別制御することで前記居住空間の空調管理を行なう、本発明による空調管理システムでは、前記居住区画に存在している個人の入力に基づいて個人的温冷感を表す個人的温冷感データを含む空調個人情報を生成する個人端末と、前記個人端末から送られてきた前記空調個人情報を受信する入力部と、各個人端末からの前記空調個人情報に基づいて居住区画毎の前記個人的温冷感データの統計的評価を行なう評価部と、前記評価部による統計的評価結果を参照して前記各空調ユニットに対する制御指令を生成する空調制御管理部と、前記評価部による統計的評価結果を可視化するためのデータを出力するデータ出力部と、前記データを可視化した可視データを生成して前記個人端末からの要求により可視化データを送信するデータ可視化部とが備えられている。
【０００８】
このシステムによれば、各居住区画で空調ユニットの影響を受けている居住者各人が、自分自身が感じている空調の効き具合を個人的温冷感データとして申告することができる。この個人的温冷感データは通信ネットワークを通じて集計され、統計的に評価された結果を参照して、つまり統計的評価結果をパラメータとして各空調ユニットに対する制御指令が生成され、最終的に各空調ユニットが制御される。さらに、本発明では、この統計的評価結果を可視化した可視化データが生成され、この可視化データが空調管理情報として個人端末に送信される。その結果、各人は自分を含めた居住区画にいる人たちの空調に関する温冷感を統計的に知ることが可能となる。このように、自分の温冷感と他人の温冷感の違いを理解することで、現状の空調ユニットの運転状況に対する納得感が高まる。このような各人の納得感は、省エネルギーに対する興味や知識を高めることに寄与する。
【０００９】
各人の温冷感申告を評価する際、空調ユニットと各人の位置関係も評価パラメータとして導入することはより適切な空調制御のためには必要である。このため、個人端末の位置が固定されている場合はよいが、各人の個人端末がノート型パソコンやタブレットコンピュータ、あるいはスマートフォンのようなポータブル機器であり、各人の居住位置も一定でない場合、個人端末の位置を管理側に与えなければならない。従って、本発明の好適な実施形態の１つでは、前記空調個人情報には当該個人端末の位置を導出できる位置データが含まれており、前記評価部では前記個人的温冷感の前記居住区画における分布評価も行われる。多くのポータブル機器にはＧＰＳモジュールが搭載されているので、これを利用することで、そのような位置データは簡単に得ることできる。
【００１０】
さらに、空調に対する温冷感は、男女差や年令差によって大きいので、空調温度の制御に参照される温冷感の統計的評価には、性別や年令を考慮することが好ましい。このため、本発明の好適な実施形態の１つでは、前記空調個人情報には当該個人の性別や年令あるいはその両方を導出できる個人識別データが含まれており、前記統計的評価において性別または年令別あるいはその両方の評価が行われる。
【００１１】
温冷感申告において、その入力操作が煩わしいものになると申告があまり行なわれないという問題が生じる。従って、温冷感申告の入力インタフェースは簡単な入力画面における簡単な入力操作が重要である。このことから、本発明の好適な実施形態の１つでは、前記個人的温冷感データには複数段階に区分けされた温冷感から選択された温冷感が含まれており、統計的評価として前記居住区画における温冷感比率が算出される。これにより、温冷感申告の入力インタフェースとして、クリック操作だけで温冷感を申告できるようなグラフィカルな入力画面を採用することができる。
【００１２】
温冷感申告に対する空調管理側のフィードバックとして各人の個人端末で閲覧できる空調管理情報は、現実の空調制御に対して各人を納得させるものでなければならない。このため、統計的評価結果を可視化したもの以外に、例えば、前記居住区画毎の室内温度と前記制御指令とを表すメッセージまたは図形が含まれていると好都合である。これにより、周囲の人達の温冷感を知るだけでなく、その結果としての空調ユニットに対する制御の動向を実際の室内温度を見ながら確認することができ、納得感が高まる。
【００１３】
上述したような、空調の温冷感は時間帯あるいは各人の日々の調子や季節感によっても異なる。このことを各人が後で確認できるように、さらにはこのような各人の経時的な温冷感の違いも評価対象とし、その評価を空調制御に利用できるように、必要なデータを経時的に記録しておくことも好適である。このため、本発明の好適な実施形態の１つでは、前記個人的温冷感データを経時的に記録する温冷感記録部と、前記統計的評価結果を経時的に記録する評価結果記録部と、前記制御指令を経時的に記録する制御指令記録部とが備えられている。
【図面の簡単な説明】
【００１４】
【図１】本発明による空調管理システムの基本的な構成を説明する機能ブロック図である。
【図２】本発明による空調管理システムにおける基本的な情報の流れを説明する情報ブロック図である。
【図３】温冷感入力画面の一例である温冷感申告フォームを示す画面図である。
【図４】空調管理情報の一例である申告結果表示画面を示す画面図である。
【発明を実施するための形態】
【００１５】
まず図１と図２を用いて、本発明による空調管理システムの基本的な構成を説明する。この空調システムは、居住空間を構成する複数の居住区画毎に設置された空調ユニット２を個別制御することで居住空間の空調管理を行なう。空調ユニット２は、通常は室内機と室外機に分割されているが、ここでは、室外機を図示せずに、空調空気を居住区画に吹き出す吹き出し口を有する室内機が空調ユニット２を代表させている。この空調ユニット２の空調能力は空調コントローラ２０によって制御される。つまり、空調コントローラ２０が、各居住区画に配置されている1つ以上の空調ユニット２に制御信号を与えることで、各居住区画の温度や湿度が調整される。なお、空調ユニット２や空調コントローラ２０の種類等は本発明では特別に限定されていない。
【００１６】
ここでいう居住空間とは、オフィスビルなどの日常的に人が存在している空間であり、この居住空間を部署毎あるいは会社毎に区分けした空間を居住区画と呼んでいる。各居住区画には個別に制御することができる空調ユニット２が割り当てられているので、それぞれの居住区画は異なる空調状態に設定することが可能である。また、各居住空間はパーティションや壁あるいは廊下等で仕切られていてもよいし、全く仕切りなしであってもよい。また、ビル全体を居住空間とし、各階を居住区画とみなしてもよい。
【００１７】
この居住空間がオフィスビルであるとし、ここに在席している各人には、コンピュータである個人端末１が割り当てられている。各人は、適当な時間間隔で、自分が今感じている自分の居住区画の空調状態を個人的温冷感（暑い、寒い、蒸せるなど）として個人端末１に入力する。個人端末１に入力された個人的温冷感は個人的温冷感データとしてデータ化され、さらに個人端末１を特定する端末ＩＤないしは各人を特定する個人ＩＤとともに空調個人情報としてＬＡＮ、必要の場合ＷＡＮを用いて空調管理センタに送信される。
【００１８】
空調管理センタには、実質的にはコンピュータシステムである空調管理システム１００が構築されている。この空調管理システム１００には、ＬＡＮやＷＡＮなどのデータ通信回線を介してデータの交換を行う入出力サーバ３、アプリケーションサーバ４、データベースサーバ５が含まれている。
【００１９】
入出力サーバ３には、入力部３ａとデータ可視化部３ｂが含まれている。入力部３ａは、各個人端末１から送られてきた空調個人情報を受け取り、空調管理のためのデータ処理を行うアプリケーションサーバ４に転送する。データ可視化部３ｂは、入出力サーバ３にアクセスしてきた個人端末１から送られた閲覧要求に基づいて空調管理情報に関する可視化データを個人端末１に送信する。
【００２０】
アプリケーションサーバ４には、評価部４ａと空調制御管理部４ｂとデータ出力部４ｃが含まれている。評価部４ａは、個人端末１から得られた空調個人情報を居住区画毎に集計し、居住区画毎の個人的温冷感データの統計的評価を行なう。統計的評価としては、段階的に評価された個人的温冷感の居住区画毎の分布などであるが、さらに細かく男女別分布、年齢別分布などを評価してもよい。このような評価結果を通じて、各人は、実質的に同じ空調環境下であるとみなされる同一居住区画における個人的温冷感のバラツキを把握することができる。なお、同じビル内、つまり同じ居住空間であっても、各人の空調に対する意識の違い等から、居住区画毎に設定されている空調温度や湿度が微妙に異なっている可能性がある。従って、各居住区画のその温度や湿度とともにその個人的温冷感の分布を一覧できるようにすると、他の居住区画との個人的温冷感の違いや省エネ意識の違いなども把握することが可能となる。
【００２１】
空調制御管理部４ｂは、各個人端末１からの空調個人情報に基づいて、予め設定されている制御アルゴリズムに基づいて各空調ユニット２に対する制御指令を生成する。ここでは、空調制御管理部４ｂが空調コントローラ２０に制御指令を与えることで、空調コントローラ２０が居住区画の目標の温度（室温）、湿度に設定すべく各空調ユニット２の吹き出し空調風の温度、風速、風向きなどを制御する制御信号を各空調ユニット２に与える。
【００２２】
データ可視化部３ｂは、評価部４ａによる統計的評価結果を可視化した可視化データを生成する。統計的評価結果の可視化データとしては、統計的評価結果をグラフ化した図表が代表的である。居住区画毎のこのような図表が各人の個人端末１の画面に表示されると、各人は、自分が所属している居住区画だけでなく、他の居住区画における個人的温冷感の違いを把握することができる。
上述した、各人の個人的温冷感、統計的評価結果、空調ユニット２の動作状況の経時的な変化を把握することでさらに推測制御などさらに適切な空調制御が可能となる。また、そのような経時的な変化を知ることで、各人の空調制御に対する納得感も高まる。このため、アプリケーションサーバ４と協働するデータベースサーバ５には、各人が個人端末１を通じて入力した個人的温冷感データを経時的に記録する温冷感記録部５１と、評価部４ａによって生成された統計的評価結果を経時的に記録する評価結果記録部５２と、空調制御管理部４ｂによって決定された空調ユニット２の動作を経時的に記録する制御指令記録部５３が含まれている。個人端末１に送信することにより各人に通知したい情報として、現状の居住区画の温度や湿度などがある。このため、模式的にしか図示されていないが、この空調管理システム１００には、居住区画の温度や湿度を測定する測定器からの測定データが入力される。入力された温度や湿度の測定データは評価部４ａで利用されるとともに、データベースサーバ５、例えば評価結果記録部５２や制御指令記録部５３に経時的に記録される。なお、空調ユニット２に温度センサが備わっており、その測定データが評価部４ａに入力されている場合には、それを利用することができる。
【００２３】
次に、上述した空調管理システム１００をより具体的に説明する。好適な実施形態の一つでは、入出力サーバ３はＷｅｂサーバとして構築されている。Ｗｅｂサーバ３は、ＨＴＴＰ（HyperText Transfer Protocol）と呼ばれる通信プロトコルを用いて、個人端末１にインストールされているＷｅｂブラウザとの間でデータの送受信を行う。互いのデータの送受信のために、ＨＴＭＬ(HyperText Markup Language)やＸＭＬ(Extensible Markup Language)などによって記述された文書が用いられるが、その文書には画像や音声、さらには何らかの処理を行うプログラムを含ませることができる。
【００２４】
このことから、各人が自分自身の温冷感を個人端末１に入力する際には、入力画面として図３に示すようなグラフィカルな画面がＷｅｂサーバ３から送られてくる。この入力画面は温冷感申告フォーム１０であり、個人特定欄１１、居住区画特定欄１２、個人的温冷感申告欄１３、案内欄１４が配置されている。個人特定欄１１には、氏名コード入力部１１ａと性別選択部１１ｂが含まれている。なお、個人端末１の使用者が予め決められているようなケースでは、その使用者の氏名コード及び性別が予めデフォルト値で設定される。居住区画特定欄１２には、ここでは、居住区画が形成されているフロアの階数を入力する階数入力部１２ａとそのフロアにおける居住区画の特定する申告エリア入力部１２ｂが含まれている。これらの入力部も、個人端末１の設置位置が予め決められているようなケースでは、階数や申告エリアが予めデフォルト値で設定される。また、個人端末１と使用者が原則的には１：１で対応付けられているような場合では、その個人端末１に記録されているユーザプロファイルを利用して、ユーザの氏名、年令、性別を送信するようにしてもよい。
【００２５】
個人的温冷感申告欄１３は、各人の個人的な温冷感を申告する欄であり、ここでは温冷感が、「寒い」、「やや寒い」、「適温」、「やや暑い」、「暑い」の５段階で示されており、各人がそのうちの１つを選択するように構成されている。
【００２６】
案内欄１４には、空調管理に関する種々の報知情報が表示される。図３の例では、階数入力部１２ａに入力された（またはデフォルトの）階のフロア図が表示されているので、申告エリア入力部１２ｂの入力時に、このフロア図を見ることで各人が在席している居住区画を確認することができる。案内欄１４には、さらに、同じ居住区画にいる人達の個人的温冷感の現状の申告結果を示す円グラフが示されている。この円グラフは、個人的温冷感申告欄１３で５段階に分けられた温冷感に割り当てられた色で塗り分けられているので、各人が属する居住区画での個人的温冷感の分布がこの円グラフから一目で把握することができる。
【００２７】
個人的温冷感申告欄１３において申告したい個人的温冷感を選択して、「申告する」ボタンをクリックすると、Ｗｅｂブラウザが、この個人的温冷感データを含む空調個人情報を生成して、Ｗｅｂサーバ３に送信する。空調個人情報には、個人特定欄１１及び居住区画特定欄１２への入力によって得られた個人を特定するデータ（以後、個人ＩＤと称する）や居住区画を特定するデータ（以後、居住区画ＩＤと証する）も含まれている。ただし、個人端末１のＩＰアドレスなどからＷｅｂサーバ３側で個人や居住区画を特定できる場合には、個人ＩＤや居住区画ＩＤを空調個人情報に含ませる必要がなく、Ｗｅｂサーバ３側でＩＰアドレスなどから引き出した個人ＩＤや居住区画ＩＤを個人的温冷感データにリンクさせる。「閉じる」ボタンがクリックされると、個人的温冷感の申告処理が中止され、この温冷感申告フォーム１０の画面が消える。
【００２８】
Ｗｅｂサーバ３は各人から送られてきた受け取られた空調個人情報から個人的温冷感データを読み出して、統計的評価を行うため個人ＩＤや居住区画ＩＤとともに評価部４ａに転送される。評価部４ａによる統計的評価結果は、一方では空調コントローラ２０への制御指令の生成のために空調制御管理部４ｂに送られ、他方では温冷感申告を行なった各人への情報フィードバックとしての可視化データの生成のためにデータ出力部４ｃに送られたのち、データ可視化部３ｂに送られる。
【００２９】
空調ユニット２による空調を調整するために空調コントローラ２０に送られる制御指令は、評価部４ａで得られた統計的評価結果を参照して空調制御管理部４ｂで生成されるが、その処理の一般原理を以下に説明する。
ここで、ある居住区画に居住しているｎ人から申告された各人の個人的温冷感データをＸ [ｘ１，ｘ２，ｘ３，ｘ４]で表すとする。例えば、ｘ１は温冷感を示す値、ｘ２は性別、ｘ３は性別、ｘ４は各人の位置とする。ｘ２からｘ４は個人の属性情報であるので、この属性情報を用いて、温冷感値：ｘ１の重み付けを行なうことができる。つまり、各人の個人的温冷感値：Ｘを、
Ｘ＝ｘ１＊(Ｗ（ｘ２，ｘ３，ｘ４）)、Ｗは重み導出関数、
で算定する。
このようにして算定されたｎ人のＸをパラメータとする統計的評価関数：Γを用いて、統計的評価値：Ｓを次式で求める。
Ｓ＝Γ（Ｘ1、・・・・Ｘn）
さらに、得られた統計的評価値：Ｓから制御指令：Ｃを導出する。
Ｃ＝Ｇ（Ｓ，Ｔ）、Ｔは室温。
上述した演算は、評価部４ａや空調制御管理部４ｂの処理は、予め設定したルックアップテーブルやルール式を用いることで簡単化される。
なお、空調制御管理部４ｂにて実行可能な、より実践的な温冷感申告に基づく空調制御のアルゴリズム自体は公知であるので、その説明は省略するが、例えば、特許第３２１４３１７号などを参照することができる。
【００３０】
データ出力部４ｃで生成された可視化データは、Ｗｅｂサーバ３のデータ可視化部３ｂで、ＨＴＭＬ文書化またはＸＭＬ文書化されて空調管理情報として個人端末１に送られる。その際、個人端末１のＷｅｂブラウザによって表示される空調管理情報の一例が図４に示されている。
【００３１】
図４に示された、空調管理情報の表示画面の一例である申告結果表示画面には、複数の居住区画からなるフロアを選択するフロア選択領域８ａ、各居住区画における空調管理情報を一覧表示している空調管理情報一覧領域８ｂ、ガイドメッセージなどを表示する案内表示領域８ｃが配置されている。
【００３２】
空調管理情報一覧領域８ｂには、各居住区画に応じて区分けされた居住区画毎の空調管理情報表示枠８０が居住区画の数だけ含まれている。空調管理情報表示枠８０には、居住区画の名称（図ではＡゾーン、Ｂゾーン・・・と表示されている）、室内温度を表示する室内温度欄８１、同じ居住区画にいる人達の個人的温冷感の現状の申告結果を示す円グラフを表示する申告結果表示欄８２、同じ居住区画にいる人の性別人数欄８３が配置されている。さらには、この居住区画に影響を及ぼす空調ユニット２に対する制御指令に対応する現状の空調ユニット２の動作状況を表示する空調ユニット動作状況表示欄８４に表示されている。案内表示領域８ｃには、申告結果表示欄８２に表示された円グラフの内訳が表示されている。この円グラフにより各居住区画にいる人達の温冷感比率を把握することができる。
【００３３】
なお、空調管理情報一覧領域８ｂに、各人の過去の温冷感申告をその申告時の室内温度とともに経時的に表示させる画面を選択的に表示できるような構成を採用してもよい。これにより、各人が時間帯によって、あるいは日によって、空調に対するどのような温冷感を持っているのかを理解することができる。さらに、その際、及び各人が属する居住区画の円グラフを同時に表示すると、自分と他人との温冷感の違いが把握でき、空調制御に対する納得感がさらに高まる。
【００３４】
図示された例では、性別の人数が表示されていたが、年令別の人数を表示してもよい。また、空調に対する温冷感が空調ユニット２に対する各人の位置関係によっても左右されることを考慮して、空調ユニット２と各人の位置関係を示す図に各人の温冷感を識別できるマークを表示する図表を採用してもよい。この図表によって、空調ユニット２との位置関係と温冷感との関係を理解することができ、席替えなど対策を講じることができる。
【００３５】
なお、空調管理情報の表示画面として、この申告結果表示画面で表示できなかった案内情報をタブ切替などで表示させてもよい。そのような案内情報として、例えば、外部の現在温度や今後の予想温度、さらには天気予報や降水確率を表示させてもよい。また、ブラインドの開放アドバイスや換気窓や換気口が設置されている場合にはその開放アドバイスを表示して、省エネ行動を促してもよい。
【００３６】
上述したような、個人的な温冷感申告に基づく空調制御の制御タイミングは任意に設定できると好都合であるが、一般的には３０分程度の間隔で申告を集計し、空調制御の目標設定が行われる。もちろん、この集計間隔や空調制御の制御間隔は任意に設定可能にするのが好ましい。
【００３７】
上述した温冷感申告に基づく空調制御は、ビル内に滞在している人にとっては、納得感が得られ、省エネ意識も高まるという結果となり、例えば真夏であっても比較的高い室温が受け入れられる。しかしながら、炎天下の外から帰ってきた人にとっては、そのような室温が受け入れがたいという場合が少なくない。このような問題を回避するため、各移住区画に入る前に、外で受けた暑さを急速に取り除くために環境適合区画が移住区画から隔離して設けられ、この移住区画の空調だけを強くすると好都合である。つまり、外から戻ってきた人の代謝量をこの環境適合区画（部屋）で一旦下げ、その後移住区画に入ることで、移住区画の空調温度、つまりオフィス全体の空調温度が下げられることが回避される。その際、環境適合区画で一時的に待機している人に対しても、何らかの個人端末１を通じて、温冷感申告を行なうとともにビルに滞在している人の温冷感を確認できるように構成してもよい。もちろん、この環境適合区画は、暑い季節にはクーリング室として機能させ、寒い季節にはウォーミング室として機能させることになる。
【００３８】
上述した個人の感覚に基づく申告を省エネ空調制御に利用するシステムに他の環境システムも加えて、総合的な省エネを図ることも好適である。そのような追加的なシステムとして、例えば照明システムが挙げられる。
【００３９】
〔別実施の形態〕
（１）上述した実施形態では、個人端末１は、居住区画に固定されたデスクから移動させないデスクトップ型パソコンやノート型パソコンを想定したものであった。しかしながら、居住区画内を移動するノード型パソコン、タブレット型パソコン、あるいはスマートフォンのような各人に携帯されるような機器を個人端末１として採用してもよい。このような構成では、その個人端末１にＧＰＳ機能などの測位機能を持たせておき、その測位データを個人的温冷感データとリンクさせて送信すると好都合である。これにより、居住区画の位置別の個人的温冷感データが得られるので、さらに適切な空調制御が可能となる。また、フィードバックされる空調管理情報に位置別の温冷感分布を含める場合にも好都合である。
（２）居住空間の全員が個人的温冷感を申告するとは限らない。特に、このままの空調状態で満足している人は温冷感を申告しない可能性が高い。このことを考慮して、送られてきた個人的温冷感データの統計的評価を行う際に、申告してきていない人は「適温」と感じているとみなして評価を行うと好都合である。もちろん、これに代えて、実際に送られてきた個人的温冷感データだけを母集団として統計的評価を行ってもよい。
（３）上述した実施形態では、制御対象を空調空気吹き出し式の空調ユニットとしたが、それ以外の方式の環境調整ユニットにも同様に本発明を適用することができる。
【産業上の利用可能性】
【００４０】
本発明は、各人の感覚を制御パラメータの１つとして環境制御を行う制御システムに適用可能である。
【符号の説明】
【００４１】
１：個人端末
２：空調ユニット
２０：空調コントローラ
３：入出力サーバ（Ｗｅｂサーバ）
３ａ：入力部
３ｂ：データ可視化部
４：アプリケーションサーバ
４ａ：評価部
４ｂ：空調制御管理部
４ｃ：データ出力部
５：データベースサーバ
５１：温冷感記録部
５２：評価結果記録部
５３：制御指令記録部
１００：空調管理システム
【図１】
2014070865.tif 000003
【図２】
2014070865.tif 000004
【図３】
2014070865.tif 000005
【図４】
2014070865.tif 000006